(57)【要約】      （修正有）【課題】ドアを自動的に且つ確実に閉めることができるゲートを提供する。【解決手段】ベース１１と、該ベースの両端にそれぞれ垂直に取り付けられる第一支柱１２及び第二支柱１３とを備えるフレーム１０と、前記第一支柱に回転可能かつ上下移動自在に枢設されるドア２０とを備える。さらに、前記ベースの上面と対応する復位凹部が形成され、該復位凹部の内面両側にそれぞれ、傾斜状且つ弧状に突出するガイド面が設けられ、それらガイド面との幅を、上側から下側へ向かって広くなると共に、一端から他端、つまり、第一支柱側に最も広くなる、前記ドアの第一支柱の近傍底面に取り付けられる復位部材３０と、を有するゲートである。【選択図】図１
0003183004.tif 000002
【実用新案登録請求の範囲】
【請求項１】
ベースと、該ベースの両端にそれぞれ垂直に取り付けられる第一支柱及び第二支柱とを備えるフレームと、
前記第一支柱に回転可能かつ上下移動自在に枢設されるドアと、
前記ベースの上面と対応する復位凹部が形成され、該復位凹部の内面両側にそれぞれ、傾斜状且つ弧状に突出するガイド面が設けられ、それらガイド面の幅は、上側から下側へ向かって広くなると共に、一端から他端、つまり、第一支柱側に向かって最も広くなる、前記ドアの第一支柱の近傍底面に取り付けられる復位部材と、を有することを特徴とするゲート。
【請求項２】
前記ベースの上面に係合孔が凹設されると共に、前記ドアの底面に、該係合孔に係合されるロックピンが凸設されることを特徴とする請求項１に記載のゲート。
【請求項３】
前記第一支柱の上端一側に上部枢設装置が取り付けられ、該上部枢設装置は、内部に中空部を備え、上端一側に上部押上げ部が設けられ、該上部押上げ部の上面に上部軸孔が形成され、
前記ドアの一側上端に上部枢設部材が取り付けられ、該上部枢設部材は、回転可能に前記上部押上げ部の上部軸孔に挿設される上部軸と、前記上部枢設装置の中空部に位置する上部位置合わせ部材と、上部位置合わせ部材の上面または上部押上げ部の底面に当接される上部ばねとを備え、その内、上部軸は、上部枢設部材の底面中央に延設され、上部位置合わせ部材は、上部軸の底端に組み合わされ、上部ばねは、上部軸に周設され、
前記ベースにおける、第一支柱の下端近傍に下部枢設装置が取り付けられ、該下部枢設装置は、中空状を呈し、上端に下部押上げ部が延設され、該下部押上げ部の上面に下部軸孔及び２つの下部傾斜面が形成され、
更に、前記ドアの一側下端に下部枢設部材が取り付けられ、該下部枢設部材は、その底面中央に延設され、回転可能に下部押上げ部の下部軸孔に挿設される下部軸と、２つの下部タブを備え、また、２つの下部タブの長さが異なることを特徴とする請求項１または２に記載のゲート。
【請求項４】
前記第一支柱の上端一側に、内部に中空部を備える上部枢設装置が取り付けられ、該上部枢設装置の上端一側に上部押上げ部が設けられ、該上部押上げ部の上面に上部軸孔及び２つの上部傾斜面が形成され、
前記ドアの一側上端に上部枢設部材が取り付けられ、該上部枢設部材は、回転可能に上部押上げ部の上部軸孔に挿設される上部軸と、前記上部枢設装置の中空部に位置する上部位置合わせ部材と、上部位置合わせ部材の上面または上部押上げ部の底面に当接される上部ばねと、長さが異なる２つの上部タブとを備え、その内、上部軸は、上部枢設部材の底面中央に延設され、上部位置合わせ部材は、上部軸の底端に組み合わされ、上部ばねは、上部軸に周設され、それら上部タブは、上部押上げ部の２つの上部傾斜面に接触するように回動することを特徴とする請求項１または２に記載のゲート。
【請求項５】
前記第一支柱の下端の一側にドアが枢設されることを特徴とする請求項１、２、４の何れか１項に記載のゲート。
【請求項６】
前記第二支柱の上端一側に第一係合孔が形成され、
前記ドアの他側に係合装置が取り付けられ、該係合装置は、進退可能な第一ピンを備え、第一ピンは、着脱可能に第一係合孔に挿設されることを特徴とする請求項１ないし５の何れか１項に記載のゲート。
【請求項７】
前記第二支柱の上端一側に第二係合孔が形成され、
前記係合装置は、進退可能な第二ピンを備え、該第二ピンは、着脱可能に第二係合孔に挿設されることを特徴とする請求項６に記載のゲート。
【請求項８】
ベースと、該ベースの両端にそれぞれ垂直に取り付けられる第一支柱及び第二支柱とを備えるフレームと、
前記第一支柱に回転可能かつ上下移動自在に枢設されるドアと、
上面にベースの長手方向に沿うように復位凸部が設けられ、該ベースの上面における、第一支柱の一端近傍に取り付けられる復位台と、
前記ベースの上面と対応するように、復位凸部と係合可能な復位凹部が形成され、該復位凹部の内面両側にそれぞれ、傾斜状且つ弧状に突出するガイド面が設けられ、それらガイド面の幅は、上側から下側へ向かって広くなると共に、一端から他端、つまり、第一支柱側に向かって最も広くなる、前記ドアの第一支柱の近傍底面に取り付けられる復位部材と、を有することを特徴とするゲート。
【請求項９】
前記ベースの上面に係合孔が凹設されると共に、前記ドアの底面に、該係合孔に係合されるロックピンが凸設されることを特徴とする請求項８に記載のゲート。
【請求項１０】
前記第一支柱の上端一側に上部枢設装置が取り付けられ、該上部枢設装置は、内部に中空部を備え、上端一側に上部押上げ部が設けられ、該上部押上げ部の上面に上部軸孔が形成され、
前記ドアの一側上端に上部枢設部材が取り付けられ、該上部枢設部材は、回転可能に上部押上げ部の上部軸孔に挿設される上部軸と、上部枢設装置の中空部に位置する上部位置合わせ部材と、上部位置合わせ部材の上面または上部押上げ部の底面に当接される上部ばねとを備え、その内、上部軸は、上部枢設部材の底面中央に延設され、上部位置合わせ部材は、上部軸の底端に組み合わされ、上部ばねは、上部軸に周設され、
前記第一支柱の下端近傍に下部枢設装置が取り付けられ、該下部枢設装置は、中空状を呈し、上端に下部押上げ部が延設され、該下部押上げ部の上面に下部軸孔及び２つの下部傾斜面が形成され、
更に、前記ドアの一側下端に下部枢設部材が取り付けられ、該下部枢設部材は、その底面中央に延設され、回転可能に下部押上げ部の下部軸孔に挿設される下部軸と、２つの下部タブを備え、また、２つの下部タブの長さが異なることを特徴とする請求項８または９に記載のゲート。
【請求項１１】
前記第一支柱の上端一側に上部枢設装置が取り付けられ、該上部枢設装置は、内部に中空部を備え、上端一側に上部押上げ部が設けられ、該上部押上げ部の上面に上部軸孔及び２つの上部傾斜面が形成され、
前記ドアの一側上端に上部枢設部材が取り付けられ、該上部枢設部材は、回転可能に上部押上げ部の上部軸孔に挿設される上部軸と、前記上部枢設台の中空部に位置する上部位置合わせ部材と、上部位置合わせ部材の上面または上部押上げ部の底面に当接される上部ばねと、長さが異なる上部タブとを備え、その内、上部軸は、上部枢設部材の底面中央に延設され、上部位置合わせ部材は、上部軸の底端に組み合わされ、上部ばねは、上部軸に周設され、それら上部タブは、上部押上げ部の２つの上部傾斜面に接触するように回動することを特徴とする請求項８または９に記載のゲート。
【請求項１２】
前記第一支柱の下端の一側にドアが枢設されることを特徴とする請求項８、９、１１の何れか１項に記載のゲート。
【請求項１３】
前記第二支柱の上端一側に第一係合孔が形成され、
前記ドアの他側に係合装置が取り付けられ、該係合装置は、進退可能な第一ピンを備え、第一ピンは、着脱可能に第一係合孔に挿設されることを特徴とする請求項８ないし１２の何れか１項に記載のゲート。
【請求項１４】
前記第二支柱の上端一側に第二係合孔が形成され、
前記係合装置は、進退可能な第二ピンを備え、該第二ピンは、着脱可能に第二係合孔に挿設されることを特徴とする請求項１３に記載のゲート。
【考案の詳細な説明】
【技術分野】
【０００１】
本考案は、特にドアが確実に閉まるゲートに関するものである。
【背景技術】
【０００２】
子供やペットを台所や階段、お風呂場などの危ない場所に入れないようにするには、通常ゲートを設置する。この種のゲートは、台所や階段などの入り口に取り付けられ、フレームにドアが枢設されるものである。使用する時は、使用者によりドアの開閉を操作し、ドアをロックすることもできるので、子供によるドアの開閉を防止することもできる。
【０００３】
既存のゲートは、フレームとドアとの間の枢設位置にばねが設置され、ドアを開けると、ばねが圧縮され、ばねの付勢力により、ドアを所定の位置まで回転させて所定の位置まで復位し、自動的にロックする。
【考案の概要】
【考案が解決しようとする課題】
【０００４】
しかしながら、前記既存のゲートは、ドアの開き角度が小さ過ぎると、ばねの付勢力が弱いことから、ドアをスムーズに且つ確実に閉まることが出来ず、ロックすることも不可能である。また、ドアの開き角度が小さ過ぎる場合には、外側から見て、ドアが確実に閉っているかどうかが分かりにくく、もし、ドアが閉っていないと、子供がドアを開けて侵入してしまう恐れがあった。
【課題を解決するための手段】
【０００５】
本考案に係るゲートは、ベースと、該ベースの両端にそれぞれ垂直に取り付けられる第一支柱及び第二支柱とを備えるフレームと、
前記第一支柱に回転可能かつ上下移動自在に枢設されるドアと、
前記ベースの上面と対応する復位凹部が形成され、該復位凹部の内面両側にそれぞれ、傾斜状且つ弧状に突出するガイド面が設けられ、それらガイド面の幅は、上側から下側へ向かって広くなると共に、一端から他端、つまり、第一支柱側に向かって最も広くなる、前記ドアの第一支柱の近傍底面に取り付けられる復位部材と、を有してもよい。
【０００６】
一方、本考案に係るゲートは、ベースと、該ベースの両端にそれぞれ垂直に取り付けられる第一支柱及び第二支柱とを備えるフレームと、
前記第一支柱に回転可能かつ上下移動自在に枢設されるドアと、
上面にベースの長手方向に沿うように復位凸部が設けられ、該ベースの上面における、第一支柱の一端近傍に取り付けられる復位台と、
前記ベースの上面と対応するように、復位凸部と係合可能な復位凹部が形成され、該復位凹部の内面両側にそれぞれ、傾斜状且つ弧状に突出するガイド面が設けられ、それらガイド面の幅は、上側から下側へ向かって広くなると共に、一端から他端、つまり第一支柱側に向かって最も広くなる、前記ドアの第一支柱の近傍底面に取り付けられる復位部材と、を有してもよい。
【０００７】
かかるゲートにおいて、前記ベースの上面に係合孔が凹設されると共に、前記ドアの底面に、該係合孔に係合されるロックピンが凸設されることが好ましい。
【０００８】
かかるゲートにおいて、前記第一支柱の上端一側に上部枢設装置が取り付けられ、該上部枢設装置は、内部に中空部を備え、上端一側に上部押上げ部が設けられ、該上部押上げ部の上面に上部軸孔が形成され、
前記ドアの一側上端に上部枢設部材が取り付けられ、該上部枢設部材は、回転可能に前記上部押上げ部の上部軸孔に挿設される上部軸と、前記上部枢設装置の中空部に位置する上部位置合わせ部材と、上部位置合わせ部材の上面または上部押上げ部の底面に当接される上部ばねとを備え、その内、上部軸は、上部枢設部材の底面中央に延設され、上部位置合わせ部材は、上部軸の底端に組み合わされ、上部ばねは、上部軸に周設され、
前記ベースにおける、第一支柱の下端近傍に下部枢設装置が取り付けられ、該下部枢設装置は、中空状を呈し、上端に下部押上げ部が延設され、該下部押上げ部の上面に下部軸孔及び２つの下部傾斜面が形成され、
更に、前記ドアの一側下端に下部枢設部材が取り付けられ、該下部枢設部材は、その底面中央に延設され、回転可能に下部押上げ部の下部軸孔に挿設される下部軸と、２つの下部タブを備え、また、２つの下部タブの長さが異なることが好ましい。
【０００９】
かかるゲートにおいて、前記第一支柱の上端一側に、内部に中空部を備える上部枢設装置が取り付けられ、該上部枢設装置の上端一側に上部押上げ部が設けられ、該上部押上げ部の上面に上部軸孔及び２つの上部傾斜面が形成され、
前記ドアの一側上端に上部枢設部材が取り付けられ、該上部枢設部材は、回転可能に上部押上げ部の上部軸孔に挿設される上部軸と、前記上部枢設装置の中空部に位置する上部位置合わせ部材と、上部位置合わせ部材の上面または上部押上げ部の底面に当接される上部ばねと、長さが異なる２つの上部タブとを備え、その内、上部軸は、上部枢設部材の底面中央に延設され、上部位置合わせ部材は、上部軸の底端に組み合わされ、上部ばねは、上部軸に周設され、それら上部タブは、上部押上げ部の２つの上部傾斜面に接触するように回動することが好ましい。
【００１０】
かかるゲートにおいて、前記第一支柱の下端の一側にドアが枢設されることが好ましい。
【００１１】
かかるゲートにおいて、前記第二支柱の上端一側に第一係合孔が形成され、
前記ドアの他側に係合装置が取り付けられ、該係合装置は、進退可能な第一ピンを備え、第一ピンは、着脱可能に第一係合孔に挿設されることが好ましい。
【００１２】
前記第二支柱の上端一側に第二係合孔が形成され、
前記係合装置は、進退可能な第二ピンを備え、該第二ピンは、着脱可能に第二係合孔に挿設されることが好ましい。
【考案の効果】
【００１３】
本考案は上記の構成を有することから、ゲートのドアの開き角度が５度以下の場合であっても、復位部材のガイド面がベース或いは復位台の上縁と接すると、そのガイド面の構成によりドアを回転させて所定の位置まで閉まることから、ドアをどのように開けても、自動的且つ確実に閉まることができるので、子供やペットの安全を保つことができる。
【図面の簡単な説明】
【００１４】
【図１】本考案に係るゲートの第一実施例の正面図である。
【図２】本考案に係るゲートの第一実施例の斜視図である。
【図３】本考案に係るゲートの第一実施例における係合装置の分解斜視図である。
【図４】本考案に係るゲートの第一実施例における上部枢設部材の分解斜視図である。
【図５】本考案に係るゲートの第一実施例における上部枢設部材の正面断面図である。
【図６】本考案に係るゲートの第一実施例における下部枢設部材の分解斜視図である。
【図７】本考案に係るゲートの第一実施例における下部枢設部材の正面断面図である。
【図８】本考案に係るゲートの第一実施例における復位部材及び復位台の側面断面図である。
【図９】本考案に係るゲートの第一実施例における復位部材の平面図である。
【図１０】本考案に係るゲートの第一実施例においてドアを開ける操作を示す説明図である。
【図１１】本考案に係るゲートの第一実施例における復位部材及び復位台によりドアが閉まる操作を示す第一作動図である。
【図１２】本考案に係るゲートの第一実施例における復位部材及び復位台によりドアが閉また状態を示す第二作動図である。
【図１３】本考案に係るゲートの第二実施例の斜視図である。
【図１４】本考案に係るゲートの第二実施例における上部枢設部材の分解斜視図である。
【図１５】本考案に係るゲートの第二実施例における上部枢設部材の正面断面図である。
【図１６】本考案に係るゲートの第二実施例におけるドアの分解斜視図である。
【図１７】本考案に係るゲートの第三実施例の正面図である。
【図１８】本考案に係るゲートの第三実施例における復位部材の分解斜視図である。
【図１９】本考案に係るゲートの第三実施例における復位部材の側面断面図である。
【図２０】本考案に係るゲートの第三実施例における復位部材によりドアが閉また状態を示す第一作動図である。
【図２１】本考案に係るゲートの第三実施例における復位部材によりドアが閉また状態を示す第二作動図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２を示すように、本考案に係るゲートは、フレーム１０と、ドア２０と、復位部材３０と、復位台９０を有する。
【００１７】
前記フレーム１０は、ベース１１と、該ベース１１の両端に垂直に取り付けられる第一支柱１２及び第二支柱１３を備え、その内、ベース１１は、細長の矩形柱であり、上面の第二支柱１３の近傍に係合孔１１１が凹設され、それら第一支柱１２と第二支柱１３との間に出入り口が設けられる。
【００１８】
前記ドア２０は、回転可能かつ上下移動自在に第一支柱１２に枢設され、第一支柱１２と第二支柱１３との間隔と等しいサイズを有し、下部から上部に亘って複数の柵が形成され、底面の第二支柱１３近傍に、前記ベース１１の係合孔１１１に係合されるロックピン２１が凸設される。
【００１９】
図１乃至図３に示すように、前記第二支柱１３の上端に係合部材１４が取り付けられ、該係合部材１４における、前記第一支柱１２側に第一係合孔１４１が形成されると共に、その上方に第二係合孔１４２が形成され、更に、該第一係合孔１４１の上面に開錠傾斜面１４３が第一支柱１２に向って斜め上方に延設され、該係合部材１４における、第一係合孔１４１及び第二係合孔１４２の側部に弧状傾斜面１４４が設けられ。
【００２０】
前記ドア２０における、第二支柱１３側に係合装置４０が取り付けられ、該係合装置４０は、第一ピン４１と、第二ピン４２と、２つのばね４３、４４を備え、その内、ばね４３は、該第一ピン４１に当接されるように第一係合孔１４１に挿設されると共に、ばね４４は、第二ピン４２に当接されるように第二係合孔１４２に挿設され、該第二ピン４２の底部に、係合装置４０の底部から露出するようにロック解除ボタン４２１が設けられる（図１の如く）。
【００２１】
図４及び図５に示すように、前記第一支柱１２の上端に上部枢設装置５０が取り付けられ、該上部枢設装置５０は、内部に中空部を備え、上端一側に上部押上げ部５１が設けられ、該上部押上げ部５１の上面に、上部枢設装置５０の中空部と連通するように、その中空部の内径より小さい内径を有する上部軸孔５１１が形成される。
【００２２】
前記ドア２０における、第一支柱１２側に上部枢設部材６０が取り付けられ、該上部枢設部材６０は、上部軸６１と、上部位置合せ部材６２と、上部ばね６３とを備え、その内、上部軸６１は、上部枢設部材６０の底面中央に延設され、該位置合わせ部材６２は、上部軸６１の底端に組み合わされ、該上部ばね６３は、上部軸６１に周設される。
【００２３】
図６及び図７に示すように、前記ベース１１における、第一支柱１２の下端近傍に下部枢設装置７０が取り付けられ、該下部枢設装置７０は、中空状を呈し、上端に下部押上げ部７１が延設され、該下部押上げ部７１の上面に下部軸孔７１１及び２つの下部傾斜面７１２が形成される。
【００２４】
前記ドア２０における、第一支柱１２側の下端に下部枢設部材８０が取り付けられ、該下部枢設部材８０は、底面中央に延設され、回転可能に下部押上げ部７１の下部軸孔７１１に挿設される下部軸８１と、長さが異なる２つの下部タブ８２を備える。
【００２５】
図２、図６及び図８に示すように、前記復位台９０は、ベース１１の上面における、第一支柱１２の近傍に取り付けられ、その上面に復位凸部９１が設けられ、該復位凸部９１は、ベース１１の長手方向に沿って延設されると共に、その幅は、第一支柱１２側の一端から第二支柱１３側の他端向かって広くなっている。
【００２６】
図１、図６、図８及び図９に示すように、前記復位部材３０は、ドア２０の底面における、第一支柱１２の近傍に取り付けられ、該ベース１１の上面と対応するように、復位凸部９１と係合可能な復位凹部３１が形成され、内面の両側にそれぞれ、傾斜状且つ弧状に突出するガイド面３１１が設けられ、それらガイド面３１１の幅は、上側から下側へ向かって広くなると共に、一端から他端へ向かって広くなる。さらに、それらガイド面３１１との幅における最も狭いところが、ベース１１の上面の幅に対応すると共に、最も広いところが第一支柱１２側を向くように配置されている。
【００２７】
図３乃至図６及び図１０に示すように、本考案のゲートにおけるドア２０を開けるときは、まず第二ピン４２のロック解除ボタン４２１を引き上げ、第二ピン４２を係合部材１４の第二係合孔１４２から離脱させ、そのままドア２０を持ち上げれば、三箇所のロックを解除することが出来る。即ち、一つ目は、前記ドア２０の底部のロックピン２１をベース１１の係合孔１１１から離脱させる。二つ目は、前記復位部材３０の復位凹部３１を復位台９０の復位凸部９１から離脱させる。三つ目は、前記第一ピン４１の端部を上面へ移動させて開錠傾斜面１４３に沿って第一係合孔１４１から離脱させる。
【００２８】
この時、ここまで、これですべてのロックが解除されているので、ドア２０を開けることが出来る。尚、この時点で、前記上部枢設部材６０の上部ばね６３を圧縮させることで付勢力が蓄えられている（図４及び図５の如く）。
【００２９】
図４乃至図７に示すように、ドア２０を大きく開けたときは、ドアから手を放すと、上部ばね６３の付勢力によりドア２０がベース１１に対してゆっくりと下へ移動し、ドア２０を降ろす過程で、下部タブ８２が下部傾斜面７１２に接触するように回動することによって、ドア２０が第一支柱１２に対して回転して自動的に閉まる。
【００３０】
一方、図８、図１１及び図１２に示すように、ドア２０を少し（例えば、５度の以下）開けたときは、上部ばね６３の付勢力が足りないので、ドア２０がフレーム１０にしっかりと閉まることができないが、この時、復位部材３０の一側のガイド面３１１が復位凸部９１の上縁に当接すると（図１１の如く）、その２つのガイド面３１１が傾斜状及び弧状に突出する、ガイド面３１１の幅が第一支柱１２から第二支柱１３へ向かって広くなる構造によって、ガイド面３１１を復位凸部９１の一側上縁に沿って摺動させて、復位凹部３１を復位台９０に係合することができる（図８及び図１２の如く）。そのため、ドア２０がフレーム１０に向かって移動して所定の位置までくると、ドアが自動的に閉って確実にロックされる。
【００３１】
また、図１及び図２に示すように、ドア２０が閉まるときは、ドア２０が回転しながら、ベース１１側に下降することから、該ドア２０のロックピン２１をベース１１の係合孔１１１に係合してロックすることが出来る。
【００３２】
図１乃至図３に示すように、前記ドア２０を閉まるときに、係合装置４０の第一ピン４１及び第二ピン４２がそれぞれ係合部材１４の弧状傾斜面１４４に当接すると、第一ピン４１及び第二ピン４２が弧状傾斜面１４４に沿って縮退しながら横に移動し、該第一ピン４１及び第二ピン４２が弧状傾斜面１４４から離脱すると、ばね４３が第一ピン４１を押圧して係合部材１４の第一係合孔１４１に挿し込まれると共に、ばね４４が第二ピン４２を押圧して係合部材１４の第二係合孔１４２に挿し込まれ、ロック状態となる。
【００３３】
図１３に示すように、本考案に係る第二実施例は、殆ど第一実施例と同一であるが、下部枢設装置及び下部枢設部材が設置されていない点において異なる。なお、図１４及び図１５に示すように、この第二実施例では、第一実施例と同一の下部枢設装置の下部傾斜面が上部枢設装置５０Ａの上部傾斜面５１２Ａに設けられると共に、第一実施例と同一の下部枢設部材の下部タブが上部枢設部材６０Ａの上部タブ６４Ａに設けられる。
【００３４】
前記構造によれば、上部ばね６３Ａによりドア２０Ａを降下させることが出来ると共に、上部枢設装置５０Ａ及び上部枢設部材６０Ａにより第一実施例の下部枢設装置７０及び下部枢設部材８０と同様の効果を得ることができるので、ドア２０を降下させながら、自動的に閉まることが出来る。
【００３５】
図１６に示すように、第二実施例においては、第一支柱１２Ａの下端一側とドア２０Ａの下端一側との間に下部枢設装置及び下部枢設部材が設置されていないが、そこには通常の枢設構造が設置されているので、ドア２０Ａを第一支柱１２Ａに対して回転または上下移動させることが出来る。
【００３６】
第二実施例は、第一実施例とはやや異なるが、同様の効果を有することから、ドアをどのように開けても、確実に閉まることが出来る。
【００３７】
図１７乃至図１９に示すように、本考案に係る第三実施例は、殆ど第二実施例と同一であるが、復位台が設置されていないと共に、復位部材３０Ｂの復位凹部３１Ｂがベース１１Ｂの上面に係合すれる点において異なる。
【００３８】
図１９乃至図２１に示すように、ドア２０Ｂの開き角度が小さい、例えば、５度の以下時は、復位部材３０Ｂの一側のガイド面３１１Ｂがベース１１Ｂの一側の上縁に当接し、また、ガイド面３１１Ｂの傾斜状及び弧状の突出構造と共に、ガイド面３１１Ｂの幅が第一支柱１２から第二支柱１３へ向かって広くなる構造によって、ドア２０Ｂを回転させてフレーム１０Ｂへ接近させる（図２１の如く）と共に、ガイド面３１１Ｂの最も狭いところがベース１１Ｂの上縁に係合すると、ドア２０Ｂが確実に閉まる（図１９の如く）。
【００３９】
第三実施例は、上述した第一実施例及び第二実施例と同様の効果を備えており、ドア２０Ｂをどのような角度で開けても、自動的に確実に閉まることが出来る。
【符号の説明】
【００４０】
１０、１０Ｂ          フレーム
１１、１１Ｂ          ベース
１１１                係合孔
１２、１２Ａ          第一支柱
１３                  第二支柱
１４                  係合部材
１４１                第一係合孔
１４２                第二係合孔
１４３                開錠傾斜面
１４４                弧状傾斜面
２０、２０Ａ、２０Ｂ  ドア
２１                  ロックピン
３０、３０Ｂ          復位部材
３１、３１Ｂ          復位凹部
３１１、３１１Ｂ      ガイド面
４０                  係合装置
４１                  第一ピン
４２                  第二ピン
４２１                ロック解除ボタン
４３、４４            ばね
５０、５０Ａ          上部枢設装置
５１                  上部押上げ部
５１１                上部軸孔
５１２Ａ              上部傾斜面
６０、６０Ａ          上部枢設部材
６１                  上部軸
６２                  位置合わせ部材
６３、６３Ａ          上部ばね
６４Ａ                上部タブ
７０                  下部枢設装置
７１                  下部押上げ部
７１１                下部軸孔
７１２                下部傾斜面
８０                  下部枢設部材
８１                  下部軸
８２                  下部タブ
９０                  復位台
９１                  復位凸部
【図１】
0003183004.tif 000003
【図２】
0003183004.tif 000004
【図３】
0003183004.tif 000005
【図４】
0003183004.tif 000006
【図５】
0003183004.tif 000007
【図６】
0003183004.tif 000008
【図７】
0003183004.tif 000009
【図８】
0003183004.tif 000010
【図９】
0003183004.tif 000011
【図１０】
0003183004.tif 000012
【図１１】
0003183004.tif 000013
【図１２】
0003183004.tif 000014
【図１３】
0003183004.tif 000015
【図１４】
0003183004.tif 000016
【図１５】
0003183004.tif 000017
【図１６】
0003183004.tif 000018
【図１７】
0003183004.tif 000019
【図１８】
0003183004.tif 000020
【図１９】
0003183004.tif 000021
【図２０】
0003183004.tif 000022
【図２１】
0003183004.tif 000023